(57)【要約】  対象手段との結合によって、外部から遮断された貯蔵空間を形成し、自体弾性特性によって、前記貯蔵空間の体積を減らす方向に動くことにより、前記貯蔵空間内から空気を排出することができるため、密閉性を向上させるとともに、前記貯蔵空間内に保管される飲食物が空気と接触することを防止することが可能な真空カバーが開示される。この真空カバーは、シリコンゴムなどのエラストマーから出来ており、対象手段との気密な接触のための部材、あるいは給気または排気のためのバルブを一体的に備える。本発明の真空カバーは、貯蔵空間を外部から遮断し、前記貯蔵空間に対して排気または給気機能を行うように変形する弾性本体と、前記貯蔵空間内からの排気および／または前記貯蔵空間内への給気のために前記本体に設けられたバルブとを含んでなる。
2010505709.tif 000002
【特許請求の範囲】
【請求項１】
貯蔵空間を外部から遮断し、前記貯蔵空間に対して排気または給気機能を行うように変形する弾性本体と、
前記貯蔵空間内からの排気および／または前記貯蔵空間内への給気のために前記本体の所定の位置に設けられたバルブを含んでなることを特徴とする真空カバー。
【請求項２】
前記バルブは、突出押圧部と、前記押圧部の上面に切開されてなる吸／排気部とを含んでなることを特徴とする請求項１に記載の真空カバー。
【請求項３】
前記吸／排気部に面した排気通路は上部が狭く下部が広い形状であることを特徴とする請求項２に記載の真空カバー。
【請求項４】
前記バルブは、前記本体の取付孔に挿入された継ぎ手部と、前記本体の下面に接触し、前記継ぎ手部の下方に位置した固定部と、前記本体の上面に位置し、前記本体の空気排出孔を覆う遮断部とを含んでなることを特徴とする請求項１に記載の真空カバー。
【請求項５】
前記バルブの継ぎ手部は、前記本体に対して昇降可能な長さを有することを特徴とする請求項４に記載の真空カバー。
【請求項６】
前記バルブは、前記遮断部の上部に把持部がさらに設けられていることを特徴とする請求項４に記載の真空カバー。
【請求項７】
前記本体と共に外部から遮断された貯蔵空間を形成する対象部材に接する前記本体部位には密閉突起が設けられており、
前記密閉突起によって対象部材の接触面に空気層が形成されることを特徴とする請求項１ないし６のいずれか１項に記載の真空カバー。
【請求項８】
前記本体と共に外部から遮断された貯蔵空間を形成する対象部材の外郭境界部と前記本体は、それらの接触面に、雄雌結合によって互いに結合する離脱防止部が設けられていることを特徴とする請求項１ないし６のいずれか１項に記載の真空カバー。
【請求項９】
記本体の外縁にはスカートが延設されていることを特徴とする請求項１ないし６のいずれか１項に記載の真空カバー。
【請求項１０】
前記本体はドーム型であることを特徴とする請求項１ないし６のいずれか１項に記載の真空カバー。
【請求項１１】
前記本体と共に外部から遮断された貯蔵空間を形成する対象部材に接する前記本体の縁部内側には、他の部分に比べて相対的に薄い薄部が配列されていることを特徴とする請求項１０に記載の真空カバー。
【請求項１２】
前記バルブの突出を防止するために、前記バルブ周辺の前記本体には陥没部が設けられていることを特徴とする請求項１ないし６のいずれか１項に記載の真空カバー。
【請求項１３】
前記本体は、一体に射出成形され、エラストマーから出来ていることを特徴とする請求項１ないし６のいずれか１項に記載の真空カバー。
【請求項１４】
前記本体と前記バルブは、一体に射出成形され、エラストマーから出来ていることを特徴とする請求項１ないし３のいずれか１項に記載の真空カバー。
【請求項１５】
前記バルブの吸／排気部の切開形態が斜方向であることを特徴とする請求項２または３に記載の真空カバー。
【発明の詳細な説明】
【技術分野】
【０００１】
本発明は、対象部材、例えば皿やボウル（ｂｏｗｌ）などの容器との結合によって、外部から遮断された貯蔵空間を形成し、それ自体の弾性特性によって、前記貯蔵空間の体積を減らす方向に動くことにより、前記貯蔵空間内の空気を排出することができるため、密閉性を向上させるとともに、前記貯蔵空間内に保管される飲食物が空気と接触して腐敗することを遅延させることが可能な真空カバーに関する。さらに詳しくは、シリコンゴムなどのエラストマーから出来ており、対象部材との気密な接触のための部材又は給気または排気のためのバルブを一体的に備え、これにより、個別部材間の組み立てによって製造された従来の真空カバーとは異なり、飲食物由来の残渣が部材と部材間の隙間に入り込んだり微細な飲食物が部材と部材間の隙間に累積残存したりすることを防止して衛生的であり、また従来の食品用容器のカバーとは異なり、合成樹脂からなっておらず、最近問題となっている環境ホルモンの発生を防止して消費者の心を引き付ける真空カバーに関する。
【０００２】
最近、単純な密閉容器としても使えるとともに、容器内を真空化して使用する真空容器が消費者の脚光を浴びている。この真空容器により、容器内部の空気を排出して好気性微生物による酸化を遅延させることにより、食品、例えば果物や野菜、食べ残しのオカズなどを保管するに際して、保管された食品の保存期間を延長する。また、容器内部の空気を排出することにより、食品の匂いが発散しあるいは他の食品に匂いが染み込むことを防止する。
【背景技術】
【０００３】
真空容器は、アンジュンヨンの韓国実用新案登録第０３９５８３６号（２００５年９月７日）の「真空容器カバー」のように別途の真空ポンプ方式の真空装置を用いて容器内部の空気を排出する方式で使われる種類と、キンヒョンジュン外１人の韓国実用新案登録第０４０２４３８号（２００５年１１月２４日）の「真空包装容器」のように容器自体に注射器などの排気ピストンを備えた種類に分けられる。ところが、前述した種類のものは、使用が複雑であるという欠点のため、単純な密閉容器を代替すべき大きな商標的成功を収めていない。
【０００４】
また一方、弾性カバーが提示されている。これによれば、容器内部の真空度においては別途の真空装置を使用する前記２文献の技術には及ばないが、使用の便利性に主目的を置いて、ある程度容器内部からの空気排出が可能であり、食品酸化遅延効果を得ることができる。
【０００５】
このような弾性カバーは、上部の硬質加圧蓋と下部のシリコン素材ラップカバーからなる、キンゼヨンの韓国実用新案登録第０３８９３４１号（２００５年７月１日）の「容器の圧縮真空用密閉蓋」、および伸縮性を得るために皺部を形成した、株式会社セセムの韓国特許登録第０５２６３５８号（２００５年１０月２８日）の「容器の蓋」等が開示されている。これらの弾性カバーは、容器とカバーとの結合によって生成される貯蔵空間の体積を減らす方向に動くことにより蔵空間内の空気を排出し得るようにする。
【０００６】
ところが、このようなポンプ機能を行う弾性真空カバーが、ハナコビ株式会社の韓国特許登録第０４５２８８６号（２００４年１０月５日）の「安全取っ手付きの飲食物保管用密閉容器」などの既存の密閉容器を代替し、あるいは密閉容器とは別途の需要を創出するためには、次の要求を満足しなければならない。
【０００７】
すなわち、優れた密閉性を保障しながらも、内分泌系撹乱物質、いわゆる環境ホルモンを生成する材料、例えばプラスチック製品のポリスチレンオリゴマー、ビスフェノールＡ、および可塑剤として使われるフタル酸化合物などの含有が全くない上、有機合成樹脂を使用しない食品用容器とカバーが求められている。
【０００８】
容器については、環境ホルモンを生成しない耐熱ガラス製品が市販され、脚光を浴びている。ところが、カバーは、単価競争力と密閉性を考慮し、仕方なく合成樹脂製品を使用していることが現状である。
【発明の概要】
【発明が解決しようとする課題】
【０００９】
そこで、本発明は、上述した従来の技術の問題点に鑑みてなされたもので、環境ホルモンを生成せず、既存の密閉容器に相応する密閉性を保障しながらも、貯蔵空間の真空化によって食品酸化を防止することが可能な真空カバーを提供する。
【００１０】
このために、本発明の目的は、エラストマー、特にシリコンゴムから出来ているため、環境ホルモン問題が全くなく、耐熱性に優れるため、電子レンジに投入しあるいは調理したばかりの熱い飲食を入れても変形または密閉性低下現象が全く発生せず、飲食物漏れのおそれもない真空カバーを提供することにある。
【００１１】
本発明の他の目的は、ボウル型容器、皿型容器、またはガラスパネルで覆われている食卓などの種々の対象部材にも適用できる、様々なモデルの真空カバーを提供することにある。
【００１２】
本発明の別の目的は、対象部材の表面に接触して密閉性を増進させるためのスカートまたは密閉突起まで、カバー本体と一体的に形成し、更に貯蔵空間内の給気または排気のためのバルブまで、カバー本体と一体的に形成することにより、パッキングリングとカバーとが結合（接着またはプレス嵌め）された構造の従来の密閉容器とは異なり、パッキングリングとカバー間の隙間に飲食物が入り込みまたは累積することを防止して汚染および非衛生問題を解決した真空カバーを提供することにある。
【００１３】
本発明の別の目的は、各部位が、同一の物性を有する素材からなるが厚さが異なることにより、容器との密閉性が向上し（厚部−スカート部位の場合）、バルブが開放されその後の復帰する際に迅速な嵌め合いと強い結合力によって密閉性が保障され（厚部−一体型バルブの場合）、かつ真空排気の際の部位の変形により、縁部における対象部材との接触に加えて、対象部材との接触を他にも行うことを可能とする（薄部−縁部の場合）真空カバーを提供することにある。このように、各部位の厚さを異なるものとすることにより、様々な機能が奏される。
【課題を解決するための手段】
【００１４】
上記目的を達成するために、本発明は、貯蔵空間を外部から遮断し、前記貯蔵空間に対して排気または給気機能を行うように変形する弾性本体と、前記貯蔵空間内からの排気または／および前記貯蔵空間内への給気のために前記本体の所定の位置に設けられるバルブとを含んでなる、真空カバーを提供する。
【００１５】
本体一体型バルブのために、前記バルブは、突出押圧部と、前記押圧部の上面に切開されてなる吸／排気部とを含んでなる。
前記吸／排気部に面した排気通路は上部が狭く下部が広い形状であることが好ましい。
分離型バルブのために、前記バルブは、前記本体の取付孔に挿入された継ぎ手部と、前記本体の下面に接触し、前記継ぎ手部の下方に位置した固定部と、前記本体の上面に位置し、前記本体の空気排出孔を覆う遮断部とを含んでなる。
前記バルブの継ぎ手部は前記本体に対して昇降可能な長さを有する。
前記バルブは前記遮断部の上部に把持部がさらに設けられていることが好ましい。
【００１６】
密閉性を向上させるために、前記本体と共に外部から遮断された貯蔵空間を形成する対象部材に接する前記本体部位には密閉突起が設けられており、前記密閉突起によって対象部材の接触面に空気層が設けられている。また、前記本体と共に外部から遮断された貯蔵空間を形成する対象部材の外郭境界部と前記本体は、それらの接触面に、雄雌結合によって互いに結合する離脱防止部が設けられており、前記本体の外縁にはスカートが延設されていることが好ましい。
【００１７】
前記本体と共に外部から遮断された貯蔵空間を形成する対象部材に接する前記本体の縁部内側には、他の部分に比べて相対的に薄い薄部がさらに設けられており、これにより前記対象部材との更なる密着によって密閉性の向上に役立つことができることが好ましい。
【発明の効果】
【００１８】
上述したように、本発明に係る真空カバーは、エラストマー、特にシリコンゴムから出来ているため、環境ホルモン問題が全くなく、耐熱性に優れるため、電子レンジに投入しあるいは調理したばかりの熱い飲食を入れても全く変形または密閉性低下現象が発生せず、飲食物漏れのおそれもない。本発明は、ボウル型容器、皿型容器、またはガラスパネルで覆われている食卓などのいずれの対象部材にも適用できる、様々なモデルの真空カバーを提供することができる。
【００１９】
また、対象部材の表面に接触されて密閉性を増進させるためのスカートまたは密閉突起までカバー本体と一体的に形成し、更に、貯蔵空間内の給気または排気のためのバルブまでカバー本体と一体的に形成することにより、パッキングリングとカバーとが結合（接着またはプレス嵌め）された構造の従来の密閉容器とは異なり、パッキングリングとカバー間の隙間に飲食物が入り込みまたは累積することを防止して汚染および非衛生問題を解決した真空カバーを提供することができる。
【００２０】
また、各部位が、同一の物性を有する素材からなるが厚さが異なることにより、容器との密閉性が向上し（厚部−スカート部位の場合）、バルブ開放されその後の復帰する際に迅速な嵌め合いと強い結合力によって密閉性が保障され（厚部−一体型バルブの場合）、かつ真空排気の際の部位の変形により、縁部における対象部材との接触に加えて、対象部材との接触を他にも行うことを可能とする（薄部−縁部の場合）。このように、各部位の厚さが異なることにより、様々な機能が奏される。
【図面の簡単な説明】
【００２１】
【図１】本発明の第１形態に係るドーム型真空カバー（一体型バルブを備える）が、前記真空カバーと共に貯蔵空間を形成する対象部材の一種である皿型容器に結合された状態を示す断面図である。
【図２】図１の状態で真空カバーと容器との分離のために外気を流入させる動作を説明するための断面図である。
【図３】図１に示した第１形態の真空カバーを説明した平面図および底面図である。
【図４】本発明の第１形態に係るドーム型真空カバー（一体型バルブを備える）をボウル型容器に適用した状態を示す断面図である。
【図５】真空カバー一体型バルブの吸／排気部の変形例を示す概略底面図である。
【図６】本発明の第２形態に係る平板型真空カバー（一体型バルブを備える）の様々な変形形態、および平板型真空カバーとボウル型容器との結合状態を示す断面図である。
【図７】本発明の第２形態に係る平板型真空カバー（一体型バルブを備える）の様々な変形形態、および平板型真空カバーとボウル型容器との結合状態を示す断面図である。
【図８】本発明の第２形態に係る平板型真空カバー（一体型バルブを備える）の様々な変形形態、および平板型真空カバーとボウル型容器との結合状態を示す断面図である。
【図９】本発明の第２形態に係る平板型真空カバー（一体型バルブを備える）の様々な変形形態、および平板型真空カバーとボウル型容器との結合状態を示す断面図である。
【図１０】本発明の第３形態に係る分離型バルブを備えた真空カバーとボウル型容器との結合状態を示す平面図および断面図である。
【図１１】本発明の第３形態に係る分離型バルブを備えた真空カバーとボウル型容器との結合状態を示す平面図および断面図である。
【図１２】図１１に示したバルブとは異なり把持部を有する分離型バルブを備えた真空カバーの要部断面図である。
【発明を実施するための形態】
【００２２】
以下に添付図面を参照しながら、本発明について詳細に説明する。各図面において、同一の参照符号、特にアラビア数字が一致する参照符号は同一の機能を有する部材を示し、特別に言及しない限りは、図面の各参照符号が示す部材はこのような基準に準じる部材として把握すればよい。
【００２３】
本発明に係るカバーおよび本体は、その形状によってドーム型と平板型に分けられる。また、本発明に係る真空カバーと結合して、外部から遮断された貯蔵空間を形成する対象部材、特に容器と縁部とが接する形態によって、容器の内面にカバーの縁部が接する内接型と、容器の外面にカバーの縁部が接する外接型に分けられるが（よって、「内接」および「外接」という用語は容器を基準として定める）、前記カバーと本体に対する参照符号は、細かい差異点を無視してそのような基準に基づいて付した（Ｃｃｄ、Ｃｉｆ、ＣｃｆおよびＣｃｆ’）。
【００２４】
前記貯蔵空間から空気を排出しあるいは前記貯蔵空間内に空気を流入させるバルブも、一体に射出成形された形態と、別途に製造されて結合（二重射出形態を含む）された分離可能な形態に分けて参照符号を定めた（ＶｕおよびＶｄ）。
【００２５】
本発明で真空カバーと結合する物品は大部分が、例えばボウル型または皿型の容器であるが、図１に示したドーム型カバーＣｃｄも食卓などに備えられた滑らかな面（たとえば、ガラスパネル）を覆って貯蔵空間を形成することが可能なので、真空カバーと結合するすべての物品を包括するために、本明細書では「対象部材」という用語を使用した。
【００２６】
本明細書において、「スカート」１１は、各真空カバーモデルの本体の縁部から延長されて容器の外面を覆う部分を通称する用語である。
【００２７】
本発明に係る真空カバーの本体および／またはバルブは、エラストマー、特に環境ホルモン問題がなく、耐熱性にも優れたシリコンゴムを使用する。
【００２８】
素材特有の弾性のため、本発明の真空カバーは、貯蔵空間内からの排気および内臓空間内への給気用ポンプの役割を果たすことができる。
【００２９】
まず、図１、図２、図３、図４および図５に示した真空カバーＣｃｄは、本発明の第１形態に係るドーム型真空カバーと一体型バルブを備える。図１および図２を参照すると、図示した真空カバーＣｃｄは、主に皿型容器を覆い、あるいは食卓のガラスパネルに飲食物入りの容器を載せて容器全体を覆う形で使用されるモデルである。
【００３０】
まず、図面において、本体Ｂｃｄは、ドーム状をしており、縁部には皿型容器Ｃｄの外側下部を包むようにスカート１１を有し、所定の位置には前記容器と雄雌結合する形態の離脱防止部１２を備えている。前記本体Ｂｃｄと共に、対象部材特に皿型容器Ｃｄは外部から遮断された貯蔵空間Ｓを形成する。
【００３１】
前記本体Ｂｃｄを加圧して前記本体の縁部またはバルブＶｕを介して前記貯蔵空間Ｓ内の空気を排出する場合、前記貯蔵空間の体積縮小に応じて、エラストマー素材からなる前記本体が収縮変形する。前記貯蔵空間Ｓ内からの排気によって皿型容器Ｃｄとカバーとの結合力が増加する（特に、前記皿型容器、前記本体の離脱防止部１２、およびスカート１１の結合構造によって、上下に力を加えてもカバーを分離させることが難しい）。
【００３２】
前記本体の収縮変形により、前記本体Ｂｃｄの縁部内側に配列された他の部分に比べて相対的に薄い薄部１４が皿型容器Ｃｄの上面に接触するので、前記離脱防止部１２と共に前記薄部１４は二重密閉機能を行うことができる。
【００３３】
次に、前記本体Ｂｃｄの中央上部には、一体型に射出されたバルブＶｕが備えられているが、特にバルブの周囲には、前記バルブＶｕの突出を防止するために陥没部１５が設けられている。
【００３４】
前記バルブＶｕは、前記貯蔵空間Ｓ内からの排気および／または前記貯蔵空間内への給気のために使用できるが、図示したドーム型カバーＣｃｄにおいて、前記バルブＶｕと前記本体Ｂｃｄの加圧の際に、本体の縁部と前記容器Ｃｄ間の隙間を介して貯蔵空間内からの排気が行われる。場合に応じて、前記バルブは、主に前記貯蔵空間内への給気のために使用され、空気が前記本体Ｂｃｄ加圧の際に本体の縁部と前記容器Ｃｄ間の隙間を介して排出できる。
【００３５】
前記バルブＶｕは、前記本体の陥没部１５によって取り囲まれており、前記本体の上面と略同一の高さを維持している突出押圧部２１と、前記押圧部２１の上面に切開されてなる吸／排気部２２とからなっている。
【００３６】
図１の円「Ａ」に示したように、前記吸／排気部２２は、垂直方向に切開されたものであり、図３の［Ａ］の平面図および［Ｂ］の底面図から確認できるように直線をなしている。第１形態のカバーＣｃｄと皿型容器Ｃｄとを分離しようとする場合には前記押圧部２１を加圧するが、特に、図２に示すように、前記吸／排気部２２の両端を切開方向に押圧して拡開し、空気を流入させた後、分離する。
【００３７】
前記バルブＶｕの押圧部２１の外形は略切頭円錐状である。ところが、実際、前記吸／排気部２２に面した排気通路２２ａは、上部が狭く下部が広い形状、より正確には図１の円「Ｂ」に示したように、まるで屋根付き家を略式で表現したような形状を有する。
【００３８】
前記上部が狭く下部が広い形状の排気通路２２ａによって前記吸／排気部２２の隣接部位の壁厚はより厚い厚部２１ａを形成し、前記バルブの吸／排気部２２が閉じる方向に弾性が作用し易くなっており、バルブ開放後の復帰の際に迅速な嵌め合いと強い結合力を保障する。
【００３９】
図１に示した第１形態の真空カバーをボウル型容器Ｃｂに適用した状態を図４に示したが、前記カバー本体Ｂｃｄの縁部の周辺薄部１４によって貯蔵空間排気真空の際に前記薄部の下面が容器Ｃｂの上端内面と接触することになり、密閉性が向上できる。
【００４０】
また、本発明において、第１形態の真空カバーＣｃｄは、変形例であって、図１の円「Ｃ」に示したように、前記バルブＶｕの吸／排気部の切開形態が垂直ではなく斜線形２２Ａをしており、垂直方向に流出入する空気の遮断がより完璧に行われるようにした。
【００４１】
図５はバルブの多様な吸／排気部２２Ａの形態を示すが、［Ａ］は歯型切開形態、［Ｂ］は曲線型切開形態、［Ｃ］は２直線型切開形態、［Ｄ］は２ブラケット型切開形態である。これらはいずれも、吸／排気部が閉じている状態で密閉性を向上させることを考慮した形態である。
【００４２】
図６は、本発明の第２形態に係る平板型真空カバーＣｉｆであって、一体型バルブＶｕを備えているが、ボウル型容器Ｃｄと縁部とが内接するモデルを示す。図６を参照すると、カバー本体ＢｉｆにはバルブＶｕの周辺に陥没部１５が設けられており、対象部材の一種である前記ボウル型容器Ｃｄの内面と接する部位に密閉突起１３が設けられている。また、前記密閉突起によって容器Ｃｄとの接触面に空気層１３ａが形成されて密閉性が向上するようになっている。
【００４３】
前記空気層１３ａは、実際、前記カバー本体Ｂｉｆのフランジ１３Ａ、前記密閉突起１３および前記容器Ｃｂの内壁によって取り囲まれているが、必要に応じて、前記密閉突起１３が２つ以上の場合、前記空気層は突起および容器の内壁によって取り囲まれてさらに形成される。また、前記カバー本体のフランジ１３Ａは、容器に比べて外側にさらに突出しており、容器とカバーとの分離の際に把持部の役割を果たし、前記フランジ１３Ａの厚さは他の部位に比べて厚い。よって、この構造は、材料の消耗を減らすとともに、容器の上端部にカバーが位置した状態で前記カバーを押圧して貯蔵空間Ｓを真空化させる場合でもカバーが容器の内部に抜けない程度の十分な支持力を提供する。
【００４４】
前記貯蔵空間Ｓ内の空気排出のために前記カバー本体Ｂｉｆを押圧する場合、空気は前記バルブを介して、および／または前記本体の縁部と前記容器との間が拡開されて生じた隙間を介して排出される。
【００４５】
図７では、図６に示した形態とは異なり、真空カバーＣｃｆがボウル型容器Ｃｂの外面を包む形態に変形しており、密閉突起１３と空気層１３ａもそれに合わせて配列されて形成されている。
図８では、図７に比べて前記縁部１３Ａの周辺に薄部１４が設けられており、貯蔵空間Ｓの真空の際に前記薄部１４がボウル型容器Ｃｂの上部内壁に密着する形態に変形する。
図９は、図６と図７の中間形態であって、容器Ｃｄの外面を包むスカート１１の他に、容器の内面と接触する延長スリーブ１１Ａが備えられたことが主に異なる（参照符号１２ａは指挿入隙間である）。
【００４６】
図１０および図１１はそれぞれ本発明の第３形態に係る分離型バルブＶｄを備えた真空カバーとボウル型容器との結合状態を示す平面図および結合断面図である。図１０の［Ａ］および［Ｂ］にはそれぞれ四角形および円形ボウル型容器に合わせて四角形および円形カバーＣｃｆが示されている。
【００４７】
図１０および図１１に示すように、前記ボウル型容器Ｃｂは上部外周面に連続または不連続的な雄離脱防止部３１が設けられており、カバーＣｃｆの本体Ｂｃｆには、前記雄離脱防止部３１に嵌合される対応の雄離脱防止部１２がスカート１１の内周面に設けられている。前記本体のスカート１１の下部内側は傾いた形態であり、前記容器Ｃｂも外壁が傾いた形態であって、相対的な形状が合わせられて当該境界面に指挿入隙間１２ａが設けられているため、前記カバーと前記容器との分離が容易になる。前記カバーＣｃｆの本体Ｂｃｆの縁部およびスカート１１の部位は、その内側部位より厚くて容器と強い結合力で結合できるため、できる限り前記容器と前記カバーとの分離を防止し、密閉性の向上に寄与するようになっている。
【００４８】
一方、前記本体Ｂｃｆの中央にはバルブＶｄの取付孔１６が設けられており、前記取付孔１６の周りには４つの空気排出孔１７が設けられている。前記分離型バルブＶｄは、前記本体Ｂｃｆの取付孔１６に挿入された継ぎ手部２７と、前記本体の下面に接触し、前記継ぎ手部の下方に位置した固定部２５と、前記本体の上面に位置し、前記本体の空気排出孔１７を覆う遮断部２３とを含んでなる。このようなバルブも、前記本体の陥没部に備えられているため、突出が防止される。
【００４９】
上述したようなカバーＣｃｆは、容器に結合した本体Ｂｃｆを押圧して貯蔵空間Ｓ内の空気を排出させる場合、前記バルブの遮断部２３の配列位置により、空気は主に前記空気排出孔１７を介して排出される。また、前記本体Ｂｃｆを前記容器から分離する場合、空気を予め流入させるためには前記バルブの遮断部２３を持ち上げればよい。
【００５０】
図１２の［Ａ］および［Ｂ］は、図１１に示したバルブとは異なり把持部を有する分離型バルブを備えた真空カバーの要部断面図を示す。図１２の［Ａ］に示したバルブＶｄは、単純に突出する把持部２３Ａを備えた点において差異がある。
【００５１】
図１２の［Ｂ］に示したバルブＶｄは、把持部２３Ａの他にも、継ぎ手部２７が前記本体Ｂｃｆに対して昇降可能な長さを有する。図１２の［Ｂ］に示した前記本体Ｂｃｆの空気排出孔１７Ａは、バルブ取付孔の役割を兼ね、前記バルブＶｄの固定部２５に設けられた排気スリット２５Ａと前記本体の空気排出孔１７Ａを介して空気が排出される。貯蔵空間内からの排気または貯蔵空間内への給気の際には、前記把持部２３Ａを引っ張って、前記遮断部２３が前記本体Ｂｃｆから取り外されるようにしなければならない。
【００５２】
図１２の［Ｂ］に示した形態では、前記排気スリット２５Ａと前記本体の空気排出孔１７Ａとが常に合致するようにするために、前記バルブの任意の回転が不可能な形態であることが好ましい。これは、例えば前記バルブの継ぎ手部２７および前記本体の空気排出孔１７の横断面を非円形の形状（例えば半円形、三角形、四角形など）にして実現することができる。
【００５３】
また、前記バルブの遮断部２３が前記本体の空気排出孔１７を閉鎖および開放する位置で前記バルブの停止がなされるようにすることが好ましい。これは、例えば前記バルブの継ぎ手部２７の当該上下部の位置に停止突起を設ける方式で実現することができる。
【００５４】
以上の説明において、エラストマー、特にシリコンゴムの具体的な物性または有害性のない等級などに関連した通常の公知の技術を省略しているが、当業者であれば、これを推測および推論することができるであろう。
【００５５】
以上、本発明を説明するにおいて、添付図面を参照して特定の形状と構造を有する真空カバーについて主に説明したが、本発明の各カバー本体の特徴とバルブの特徴は、当業者であれば、互いに組み合わせて様々な変形および変更が可能である。それらの変形および変更も本発明の保護範囲に属するものと理解されるべきである。
【符号の説明】
【００５６】
Ｃｃｄ、Ｃｉｆ、Ｃｃｆ、Ｃｃｆ’：真空カバー
Ｂｃｄ、Ｂｉｆ、Ｂｃｆ：本体
１１：スカート
１２：離脱防止部
１３：密閉突起
１３Ａ：フランジ
１３ａ：空気層
１４：薄部
１５：陥没部
１６：バルブ取付孔
１７、１７Ａ：空気排出孔
Ｖｕ、Ｖｄ：バルブ
２１：突出押圧部
２１ａ：厚部
２２、２２Ａ：吸／排気部
２２ａ：排気通路
２３：遮断部
２３Ａ：把持部
２５：固定部
２５Ａ：排気スリット
２７：継ぎ手部
【図１】
2010505709.tif 000003
【図２】
2010505709.tif 000004
【図３】
2010505709.tif 000005
【図４】
2010505709.tif 000006
【図５】
2010505709.tif 000007
【図６】
2010505709.tif 000008
【図７】
2010505709.tif 000009
【図８】
2010505709.tif 000010
【図９】
2010505709.tif 000011
【図１０】
2010505709.tif 000012
【図１１】
2010505709.tif 000013
【図１２】
2010505709.tif 000014
【国際調査報告】
2010505709.tif 000015
2010505709.tif 000016